(57)【要約】      （修正有）【課題】シンプルな構造をなしてなり、ステンレス鋼材のスチール管は従来のゴムチューブに取って代わり、引留具とのつなぎをねじ山とのつなぎに変えることによって、取付・取外しが簡単、それに、耐腐食性、耐老化性、耐磨耗性を向上することができる滑り軸受用平衡空圧管を提供する。【解決手段】空圧管部品１を備えてなり、空圧管部品１は第一スチール管１１、曲管１２、第二スチール管１３、第一ナット１４と第二ナット１５を備えてなり、第一スチール管１１の一端部はエアシールキャップ２に固定されており、第二スチール管１３の中間部には第一ナット１４が溶接され、第二スチール管１３の一端部は、曲管１２を介して第一スチール管１１の他端部に固定されており、第二スチール管１３の他端部は、第二ナット１５を介して軸受台３の接続穴内に嵌め込まれ、第二ナット１５は軸受台３の上平面に当てつくように設けられている。【選択図】図２
0003192919.tif 000002
【実用新案登録請求の範囲】
【請求項１】
空圧管部品（１）を備えてなり、空圧管部品（１）は第一スチール管（１１）、曲管（１２）、第二スチール管（１３）、第一ナット（１４）と第二ナット（１５）を備えてなり、第一スチール管（１１）の一端部はエアシールキャップ（２）に固定、第一スチール管（１１）の他端部は曲管（１２）を通って、第二スチール管（１３）の一端部に接続固定され、第二スチール管（１３）の中間部には第一ナット（１４）が溶接され、第二スチール管（１３）の一端部は軸受台（３）の接続穴内に嵌め込み、該第二スチール管（１３）の他端部には第二ナット（１５）がねじ締められ、第二ナット（１５）は軸受台（３）の上平面に当てつくように設けられていることを特徴とする滑り軸受用平衡空圧管。
【請求項２】
前記第一スチール管（１１）、曲管（１２）、第二スチール管（１３）はいずれも、３０４ステンレス鋼材で作られ、第一スチール管（１１）と第二スチール管（１３）の両端部はおねじが付けられ、第一スチール管（１１）と第二スチール管（１３）の一端部はどれも曲管（１２）に、第一スチール管（１１）の他端部はエアシールキャップ（２）にねじ締められていることを特徴とする請求項１に記載の滑り軸受用平衡空圧管。
【請求項３】
前記第二ナット（１５）の下端部には輪状の突出部が設けられ、突出部の外壁は軸受台（３）の孔壁にしっかりと当て付くように上設けられていることを特徴とする請求項１に記載の滑り軸受用平衡空圧管。
【請求項４】
前記第一スチール管（１１）はエアシールキャップ（２）に固定され、外部の大気に通じるように設けられていることを特徴とする請求項１に記載の滑り軸受用平衡空圧管。
【考案の詳細な説明】
【技術分野】
【０００１】
本考案は、風冷式電気機器の技術分野に関わり、もっと具体的に言えば、滑り軸受用平衡空圧管に関する。
【背景技術】
【０００２】
現在、いくらかの電気機器は稼動の時、その内部の冷卻ファンの作動で、電気機器内の滑り軸受、特にエンドキャップ式滑り軸受のファンの近くに負圧区が形成しがちで、軸受内の潤滑油が油霧状態で、電気機器内へ流れ込んでしまう恐れがあり、それで、軸受にエアシールキャップを設置、片側の接続管が電気機器外部の大気に通じるようにし、空気圧のバランスを取ることになっている。従来の接続管はゴム製で、耐老化性、耐寒性や耐摩耗性が悪く、悪劣な環境に適用できず、それに、接続管を引留具につないで使用するのが面倒になり、エア漏れなども生じやすい。
【考案の概要】
【考案が解決しようとする課題】
【０００３】
本考案は、従来の技術の不足さを改善するため、シンプルな構造で、取付簡単、耐腐食性、耐老化性、耐磨耗性に優れた新型滑り軸受用平衡空圧管を提供することを目的とする。
【課題を解決するための手段】
【０００４】
本考案の課題を解決するための技術手段として、空圧管部品を備えてなり、空圧管部品は第一スチール管、曲管、第二スチール管、第一ナットと第二ナットを備えてなり、第一スチール管の一端部はエアシールキャップに固定、第一スチール管の他端部は曲管を通って、第二スチール管の一端部に接続固定され、第二スチール管の中間部には第一ナットが溶接され、第二スチール管の一端部は軸受台の接続穴内に嵌め込み、該第二スチール管の他端部には第二ナットがねじ締められ、第二ナットは軸受台の上平面に当てつくように設けられていることを特徴とする滑り軸受用平衡空圧管。
【０００５】
該第一スチール管、曲管、第二スチール管はいずれも、３０４ステンレス鋼材で作られ、第一スチール管と第二スチール管の両端部はおねじが付けられ、第一スチール管と第二スチール管の一端部はどれも曲管に、第一スチール管の他端部はエアシールキャップにねじ締められている。
【０００６】
該第一スチール管はエアシールキャップに固定され、外部の大気に通じるように設けられている。
【０００７】
該第二ナットの下端部には輪状の突出部が設けられ、突出部の外壁は軸受台の孔壁にしっかりと当て付くように上設けられている。
【考案の効果】
【０００８】
本考案による有効な效果は次の通りである。
シンプルな構造をなしてなり、ステンレス鋼材のスチール管は従来のゴムチューブに取って代わり、引留具とのつなぎをねじ山とのつなぎに変えることによって、取付・取外しが簡単、それに、耐腐食性、耐老化性、耐磨耗性を向上することができる。
【図面の簡単な説明】
【０００９】
【図１】本考案の電気機器内に設けられたときの構造イメージ図である。
【図２】図１の空圧管部品１の構造イメージ図である。
【考案を実施するための形態】
【００１０】
図１、図２に示すように、本実施例は空圧管部品１を備えてなり、空圧管部品１は第一スチール管１１、曲管１２、第二スチール管１３、第一ナット１４と第二ナット１５を備えてなり、第一スチール管１１の一端部はエアシールキャップ２に固定、第一スチール管１１の他端部は曲管１２を通って、第二スチール管１３の一端部に接続固定され、第二スチール管１３の中間部には第一ナット１４が溶接され、第二スチール管１３の一端部は軸受台３の接続穴内に嵌め込み、該第二スチール管１３の他端部には第二ナット１５がねじ締められ、第二ナット１５は軸受台３の上平面に当てつくように設けられていることを特徴とする新型滑り軸受用平衡空圧管。
【００１１】
該第一スチール管１１、曲管１２、第二スチール管１３はいずれも、３０４ステンレス鋼材で作られ、第一スチール管１１と第二スチール管１３の両端部はおねじが付けられ、第一スチール管１１  と第二スチール管１３の一端部はどれも曲管１２に、第一スチール管１１の他端部はエアシールキャップ２にねじ締められている。  
【００１２】
該第二ナット１５の下端部には輪状の突出部が設けられ、突出部の外壁は軸受台３の孔壁にしっかりと当て付くように上設けられている。
【００１３】
該第一スチール管１１はエアシールキャップ２に固定され、外部の大気に通じるように設けられている。  
【００１４】
動作原理として、空圧管部品を取り付けるとき、まず、將第一スチール管１１をエアシールキャップの取付穴に嵌め込み、それから、曲管１２を第一スチール管１１の水準点位置に接続したあと、第一ナット１４を第二スチール管１３の中間部に嵌め込んで、第一ナット１４を第二スチール管１３に溶接するが、更に、第二ナット１５を第二スチール管１３に嵌め込み、第二ナット１５のねじ締めてある第二スチール管１３の一端部を軸受台３的接続穴内に嵌め込み、第一ナット１４を回して、第二スチール管１３を曲管１２にねじ締めるようにするが、最後に、第二ナット１５を回して、軸受台３の上平面に当て付くようにし、空圧管の一部分を大気に、その他端部を電気機器内の軸受の負圧区に通じるようにさせ、圧力差を中和する。ステンレス鋼材のスチール管では、従来のゴムチューブに取って代わり、ゴムの耐老化性、耐寒性や耐摩耗性の悪さ、悪劣な環境に適用しない問題を解決、それに、ゴムチューブと引留具とのようなつなぎ方は不要となり、取付・取外しがより簡単になる。
【符号の説明】
【００１５】
１    空圧管部品
２    エアシールキャップ
３    軸受台
１１  第一スチール管
１２  曲管
１３  第二スチール管
１４  第一ナット
１５  第二ナット
【図１】
0003192919.tif 000003
【図２】
0003192919.tif 000004
【手続補正書】
【提出日】平成26年7月8日(2014.7.8)
【手続補正１】
【補正対象書類名】実用新案登録請求の範囲
【補正対象項目名】請求項１
【補正方法】変更
【補正の内容】
【請求項１】
空圧管部品（１）を備えてなり、空圧管部品（１）は第一スチール管（１１）、曲管（１２）、第二スチール管（１３）、第一ナット（１４）と第二ナット（１５）を備えてなり、第一スチール管（１１）の一端部はエアシールキャップ（２）に固定されており、第二スチール管（１３）の中間部には第一ナット（１４）が溶接され、第二スチール管（１３）の一端部は、曲管（１２）を介して第一スチール管（１１）の他端部に固定されており、第二スチール管（１３）の他端部は、第二ナット（１５）を介して軸受台（３）の接続穴内に嵌め込まれ、
第二ナット（１５）は軸受台（３）の上平面に当てつくように設けられていることを特徴とする滑り軸受用平衡空圧管。
【手続補正２】
【補正対象書類名】実用新案登録請求の範囲
【補正対象項目名】請求項３
【補正方法】変更
【補正の内容】
【請求項３】
前記第二ナット（１５）の下端部には輪状の突出部が設けられ、突出部の外壁は軸受台（３）の孔壁にしっかりと当て付くように設けられていることを特徴とする請求項１に記載の滑り軸受用平衡空圧管。